(57)【要約】【課題】ＲＦＩＣの開発工数を削減する。【解決手段】無線部１０，２０に、互いに同一回路構成のＲＦＩＣ３０Ａ，３０Ｂをそれぞれ設け、これらＲＦＩＣ３０Ａ，３０Ｂに、入力された動作モード選択信号の入力論理レベルに基づいて、プライマリ系およびダイバーシティ系のいずれか一方のモードでＲＦ信号処理を行うＲＦ信号処理回路３５を備える。【選択図】  図１
2011119891.tif 000002
【特許請求の範囲】
【請求項１】
第１のアンテナに接続された第１の無線部と、第２のアンテナに接続された第２の無線部と、前記第１および第２の無線部と接続されたベースバンド部とを備え、前記第１および第２の無線部のうちのいずれか一方がプライマリ系として動作するとともに、いずれか他方がダイバーシティ系として動作し、ＲＦ信号を受信する際、前記プライマリ系でのみ受信動作を行い前記ダイバーシティ系での受信動作を停止するプライマリ動作と、前記プライマリ系と前記ダイバーシティ系の両方で受信動作を行うダイバーシティ動作とを行うダイバーシティ無線機であって、
前記第１および第２の無線部は、互いに同一回路構成のＲＦＩＣをそれぞれ含み、
前記ＲＦＩＣは、入力された動作モード選択信号の入力論理レベルに基づいて、前記プライマリ系および前記ダイバーシティ系のいずれか一方のモードでＲＦ信号処理を行うＲＦ信号処理回路を備える
ことを特徴とするダイバーシティ無線機。
【請求項２】
請求項１に記載のダイバーシティ無線機において、
前記第１および第２の無線部の前記ＲＦＩＣは、
前記ベースバンド部から制御データが出力される制御信号線に対してそれぞれ並列接続されており、
前記制御信号線から入力された前記プライマリ系の動作を規定する制御データを保持するプライマリレジスタと、
前記制御信号線から入力された前記ダイバーシティ系の動作を規定する制御データを保持するダイバーシティレジスタと、
入力された前記動作モード選択信号の入力論理レベルに基づいて、前記プライマリレジスタおよび前記ダイバーシティレジスタのいずれか一方のみを有効とするレジスタ選択回路とを備え、
前記ＲＦ信号処理回路は、前記プライマリレジスタおよび前記ダイバーシティレジスタのうち有効とされたいずれか一方で保持されている前記制御データに基づいてＲＦ信号処理を行う
ことを特徴とするダイバーシティ無線機。
【請求項３】
第１のアンテナに接続された第１の無線部と、第２のアンテナに接続された第２の無線部と、前記第１および第２の無線部と接続されたベースバンド部とを備え、前記第１および第２の無線部のうちのいずれか一方がプライマリ系として動作するとともに、いずれか他方がダイバーシティ系として動作し、ＲＦ信号を受信する際、前記プライマリ系でのみ受信動作を行い前記ダイバーシティ系での受信動作を停止するプライマリ動作と、前記プライマリ系と前記ダイバーシティ系の両方で受信動作を行うダイバーシティ動作とを行うダイバーシティ無線機において、前記第１および第２の無線部で共通して用いられて、前記ベースバンド部から前記制御データが出力される制御信号線に対してそれぞれ並列接続されるＲＦＩＣであって、
前記制御信号線から入力された前記プライマリ系の動作を規定する制御データを保持するプライマリレジスタと、
前記制御信号線から入力された前記ダイバーシティ系の動作を規定する制御データを保持するダイバーシティレジスタと、
入力された前記動作モード選択信号の入力論理レベルに基づいて、前記プライマリレジスタおよび前記ダイバーシティレジスタのいずれか一方のみを有効とするレジスタ選択回路と、
前記プライマリレジスタおよび前記ダイバーシティレジスタのうち有効とされたいずれか一方で保持されている前記制御データに基づいてＲＦ信号処理を行うＲＦ信号処理回路と
を備えることを特徴とするＲＦＩＣ。
【発明の詳細な説明】
【技術分野】
【０００１】
本発明は、無線通信技術に関し、特にダイバーシティ無線機で用いる回路構成技術に関する。
【背景技術】
【０００２】
携帯電話装置などの無線機では、基地局からの無線電波の受信品質を高めるため、ダイバーシティ受信機能を備えている。ダイバーシティ受信機能とは、異なる複数のアンテナで受信した同一の無線信号について、電波状況の優れたアンテナの信号を優先的に用いたり、受信した信号を合成してノイズを除去したりすることによって、受信品質や信頼性の向上を図る技術のことである。
【０００３】
このようなダイバーシティ無線機には、一方のアンテナを送信系統との間で送受切替器により兼用するプライマリ系として用いるとともに、他方のアンテナを受信系統専用となるダイバーシティ系とし、これらプライマリ系およびダイバーシティ系についてそれぞれＲＦ信号処理を行う受信回路を設け、これら受信回路からの出力を復調器で復調するものがある（例えば、特許文献１など参照）。
これにより、プライマリ系のみを用いて受信するプライマリ動作（非ダイバーシティ動作）と、プライマリ系とダイバーシティ系の両方を用いて受信するダイバーシティ動作を、受信状況に応じて切り替え制御する機能が実現される。
【０００４】
このようなダイバーシティ無線機の関連技術として、２つの異なるアンテナに接続されたそれぞれのＲＦ受信処理部を１つのＲＦＩＣに搭載し、このＲＦＩＣに設けたレジスタにＣＰＵから制御データを設定することにより、これらＲＦ受信処理部をプライマリ系とダイバーシティ系のいずれかに切替制御する技術が提案されている（例えば、特許文献２など参照）。
【先行技術文献】
【特許文献】
【０００５】
【特許文献１】特開２００１−２５１２４１号公報
【特許文献２】特開２００７−２５８８４７号公報
【発明の概要】
【発明が解決しようとする課題】
【０００６】
しかしながら、このような関連技術では、１つのＲＦＩＣにプライマリ系とダイバーシティ系のＲＦ信号処理回路が搭載されていることから、ＲＦＩＣ内部の回路構成が大規模化するとともに複雑化するため、回路評価などの開発工数が増大するという問題点があった。
本発明はこのような課題を解決するためのものであり、ＲＦＩＣの開発工数を削減できるダイバーシティ無線回路技術を提供することを目的としている。
【課題を解決するための手段】
【０００７】
このような目的を達成するために、本発明にかかるダイバーシティ無線機は、第１のアンテナに接続された第１の無線部と、第２のアンテナに接続された第２の無線部と、第１および第２の無線部と接続されたベースバンド部とを備え、第１および第２の無線部のうちのいずれか一方がプライマリ系として動作するとともに、いずれか他方がダイバーシティ系として動作し、ＲＦ信号を受信する際、プライマリ系でのみ受信動作を行いダイバーシティ系での受信動作を停止するプライマリ動作と、プライマリ系とダイバーシティ系の両方で受信動作を行うダイバーシティ動作とを行うダイバーシティ無線機であって、第１および第２の無線部は、互いに同一回路構成のＲＦＩＣをそれぞれ含み、ＲＦＩＣに、入力された動作モード選択信号の入力論理レベルに基づいて、プライマリ系およびダイバーシティ系のいずれか一方のモードでＲＦ信号処理を行うＲＦ信号処理回路を備えている。
【０００８】
また、本発明にかかるＲＦＩＣは、第１のアンテナに接続された第１の無線部と、第２のアンテナに接続された第２の無線部と、第１および第２の無線部と接続されたベースバンド部とを備え、第１および第２の無線部のうちのいずれか一方がプライマリ系として動作するとともに、いずれか他方がダイバーシティ系として動作し、ＲＦ信号を受信する際、プライマリ系でのみ受信動作を行いダイバーシティ系での受信動作を停止するプライマリ動作と、プライマリ系とダイバーシティ系の両方で受信動作を行うダイバーシティ動作とを行うダイバーシティ無線機において、第１および第２の無線部で共通して用いられて、ベースバンド部から制御データが出力される制御信号線に対してそれぞれ並列接続されるＲＦＩＣであって、制御信号線から入力されたプライマリ系の動作を規定する制御データを保持するプライマリレジスタと、制御信号線から入力されたダイバーシティ系の動作を規定する制御データを保持するダイバーシティレジスタと、入力された動作モード選択信号の入力論理レベルに基づいて、プライマリレジスタおよびダイバーシティレジスタのいずれか一方のみを有効とするレジスタ選択回路と、プライマリレジスタおよびダイバーシティレジスタのうち有効とされたいずれか一方で保持されている制御データに基づいてＲＦ信号処理を行うＲＦ信号処理回路とを備えている。
【発明の効果】
【０００９】
本発明によれば、動作モード選択信号により、ＲＦＩＣの動作モードを容易に設定することができ、プライマリ系とダイバーシティ系のＲＦ信号処理回路を、同一回路構成のＲＦＩＣを用いてそれぞれ別個に実現することができる。したがって、ＲＦＩＣ内部の回路構成を小規模化できるとともに簡素化することができ、回路評価などの開発工数を大幅に削減できる。
【図面の簡単な説明】
【００１０】
【図１】第１の実施形態にかかるダイバーシティ無線機の構成を示すブロック図である。
【図２】プライマリレジスタの構成例である。
【図３】ダイバーシティレジスタの構成例である。
【図４】共通レジスタの構成例である。
【図５】ＲＦＩＣの動作開始処理を示すフローチャートである。
【図６】プライマリ動作のレジスタ設定例である。
【図７】ダイバーシティ動作のレジスタ設定例である。
【図８】第２の実施形態にかかるダイバーシティ無線機の構成を示すブロック図である。
【図９】プライマリ動作の他のレジスタ設定例である。
【図１０】ダイバーシティ動作の他のレジスタ設定例である。
【発明を実施するための形態】
【００１１】
次に、本発明の実施形態について図面を参照して説明する。
［第１の実施形態］
まず、図１を参照して、本発明の第１の実施形態にかかるダイバーシティ無線機について説明する。図１は、第１の実施形態にかかるダイバーシティ無線機の構成を示すブロック図である。
【００１２】
このダイバーシティ無線機１は、複数のアンテナでそれぞれ受信した同一の無線信号を、電波状況に応じていずれか一方を選択し、あるいは両者を合成することによって、無線通信の通信品質や信頼性の向上を図るダイバーシティ受信機能を備えている。
【００１３】
ダイバーシティ無線機１には、主な構成として、アンテナ１０Ａ（第１のアンテナ）に接続された無線部（第１の無線部）１０、アンテナ２０Ａ（第２のアンテナ）に接続された無線部（第２の無線部）２０、およびこれら無線部１０，２０と接続されたベースバンド部４０が設けられている。
【００１４】
これら無線部１０，２０は、いずれか一方がプライマリ系として動作するとともに、いずれか他方がダイバーシティ系として動作し、ＲＦ信号を受信する際、プライマリ系でのみ受信動作を行いダイバーシティ系での受信動作を停止するプライマリ動作と、プライマリ系とダイバーシティ系の両方で受信動作を行うダイバーシティ動作とを行う。
【００１５】
本実施形態は、無線部１０，２０に、互いに同一回路構成のＲＦＩＣ３０Ａ，３０Ｂをそれぞれ設け、これらＲＦＩＣ３０Ａ，３０Ｂに、入力された動作モード選択信号の入力論理レベルに基づいて、プライム系およびダイバーシティ系のいずれか一方のモードでＲＦ信号処理を行うＲＦ信号処理回路３５を備えている。
【００１６】
次に、図１を参照して、本実施形態にかかるダイバーシティ無線機１の構成について詳細に説明する。本実施形態では、無線部１０に送受信機能を設けるとともに、無線部１０のＲＦＩＣ３０Ａにロー論理レベルＶＬを示す動作モード選択信号５１Ｍを入力することにより、無線部１０をプライマリ系として動作させ、無線部２０に受信機能のみを設けるとともに、無線部２０のＲＦＩＣ３０Ｂにハイ論理レベルＶＨを示す動作モード選択信号５２Ｍを入力することにより、無線部２０をダイバーシティ系として動作させる場合を例として説明する。
【００１７】
まず、無線部１０の構成について説明する。無線部１０には、主な機能部として、アンテナスイッチ（ＳＷ）１１、共用器１２、パワーアンプ１３、アイソレータ１４、およびＲＦＩＣ３０Ａが設けられている。
【００１８】
アンテナスイッチ１１は、アンテナ１０Ａに接続されて、アンテナ１０Ａを構成するアンテナ素子の切替接続や、アンテナ１０Ａの切り離しを行うための回路部である。
共用器１２は、アンテナスイッチ１１に接続されて、送信時と受信時にアンテナ１０Ａを共用するための回路部である。
パワーアンプ１３は、ＲＦＩＣ３０Ａから出力された送信ＲＦ信号を電力増幅する回路部である。
アイソレータ１４は、アンテナ１０Ａからの送信ＲＦ信号の反射を防止する回路部である。
【００１９】
ＲＦＩＣ３０Ａは、アンテナ１０Ａで送受信するＲＦ信号の信号処理を行うための各種回路が半導体チップに搭載された集積回路である。
このＲＦＩＣには、主な回路部として、プライマリレジスタ３１、ダイバーシティレジスタ３２、共通レジスタ３３、レジスタ選択回路３４、およびＲＦ信号処理回路３５が設けられている。
【００２０】
プライマリレジスタ３１は、任意の入力データを保持出力する一般的なレジスタ回路からなり、制御信号線５３を介してベースバンド部４０から出力された、プライマリ系の動作を規定するためのプライマリ制御データを保持する機能と、レジスタ選択回路３４からの動作モード選択信号が有効を示す場合には、保持しているプライマリ制御データを出力し、動作モード選択信号が無効を示す場合には、保持しているプライマリ制御データの出力を停止する（例えば、高いピーダンス出力とする）機能とを有している。
【００２１】
図２は、プライマリレジスタの構成例である。
ここでは、ＲＦ信号処理回路３５での送信処理動作の実行要否を示す送信ＯＮ／ＯＦＦ設定、ＲＦ信号処理回路３５での受信処理動作の実行要否を示す受信ＯＮ／ＯＦＦ設定、ＲＦ信号処理回路３５での受信ＲＦ信号に対するＡＧＣ動作の設定値を示す受信ＡＧＣ設定などの各種設定項目が、１ビット以上のデータで保持されている。
【００２２】
ダイバーシティレジスタ３２は、任意の入力データを保持出力する一般的なレジスタ回路からなり、制御信号線５３を介してベースバンド部４０から出力された、ダイバーシティ系の動作を規定するためのダイバーシティ制御データを保持する機能と、レジスタ選択回路３４からの動作モード選択信号が有効を示す場合には、保持しているダイバーシティ制御データを出力し、動作モード選択信号が無効を示す場合には、保持しているダイバーシティ制御データの出力を停止する機能とを有している。
【００２３】
図３は、ダイバーシティレジスタの構成例である。
ここでは、ＲＦ信号処理回路３５での送信処理動作の実行要否を示す送信ＯＮ／ＯＦＦ設定、ＲＦ信号処理回路３５での受信処理動作の実行要否を示す受信ＯＮ／ＯＦＦ設定、ＲＦ信号処理回路３５での受信ＲＦ信号に対するＡＧＣ動作の設定値を示す受信ＡＧＣ設定などの各種設定項目が、１ビット以上のデータで保持されている。
【００２４】
共通レジスタ３３は、任意の入力データを保持出力する一般的なレジスタ回路からなり、制御信号線５３を介してベースバンド部４０から出力された、プライマリ動作とダイバーシティ動作に共通する動作を規定するための共通制御データを保持する機能を有している。
【００２５】
図４は、共通レジスタの構成例である。
ここでは、ＲＦ信号処理回路３５での初期動作を規定するための初期設定、ＲＦ信号処理回路３５から送信するＲＦ送信信号の周波数を示す送信周波数設定、ＲＦ信号処理回路３５で受信するＲＦ受信信号の周波数を示す受信周波数設定などの各種設定項目が、１ビット以上のデータで保持されている。
【００２６】
レジスタ選択回路３４は、動作モード選択端子ＳＥＬに入力された動作モード選択信号５１Ｍの入力論理レベルに基づいて、プライマリレジスタ３１およびダイバーシティレジスタ３２のいずれか一方のみを有効とするレジスタ選択信号を出力する機能を有している。動作モード選択信号５１Ｍは、ＲＦＩＣ３０Ａがプライマリ系およびダイバーシティ系のいずれのモードで動作するかを設定するための信号であり、ＲＦＩＣ３０Ａの外部から入力される。
【００２７】
図１の例では、動作モードとしてプライマリ系を設定するロー論理レベルＶＬを示す動作モード選択信号５１Ｍが、プルダウン抵抗などの回路で生成されて、ＲＦＩＣ３０Ａの動作モード選択端子ＳＥＬに入力されており、レジスタ選択回路３４は、プライマリレジスタ３１を有効とし、ダイバーシティレジスタ３２を無効とするレジスタ選択信号をそれぞれに出力する。
【００２８】
ＲＦ信号処理回路３５は、アップコンバータ、ダウンコンバータ、増幅器、フィルタなどの各種信号処理回路部からなり、共通レジスタ３３で保持している制御データに基づいて、ベースバンド部４０から入力された送信ベースバンド信号５１Ｓをアップコンバートすることにより送信ＲＦ信号を生成してパワーアンプ１３へ出力するＲＦ送信機能と、共通レジスタ３３で保持している制御データに基づいて、共用器１２から出力されたＲＦ受信信号をダウンコンバートとして受信ベースハンド信号５１Ｒを生成してベースバンド部４０へ出力するＲＦ受信機能とを有している。これらＲＦ送信機能およびＲＦ受信機能については一般的なＲＦ信号処理機能である。
【００２９】
また、ＲＦ信号処理回路３５は、プライマリレジスタ３１およびダイバーシティレジスタ３２のうち有効とされたいずれか一方で保持している制御データを選択し、この制御データに基づいてＲＦ送信機能およびＲＦ受信機能の動作を制御する機能とを有している。
【００３０】
図１の例では、レジスタ選択回路３４でプライマリレジスタ３１が有効とされているため、ＲＦ信号処理回路３５は、プライマリレジスタ３１で保持している制御データを選択して、ＲＦ送信機能およびＲＦ受信機能の動作を制御するものとなる。
【００３１】
制御データを選択する回路構成としては、例えばプライマリレジスタ３１およびダイバーシティレジスタ３２として、レジスタ選択回路３４からのレジスタ選択信号で無効とされた場合に、保持データ出力端子を高インピーダンスにする機能を持つレジスタを用いれば、ＲＦ信号処理回路３５において、これらプライマリレジスタ３１およびダイバーシティレジスタ３２の保持データ出力端子をワイアードオア接続するなど、一般的な各種回路構成を用いればよい。
あるいは、レジスタ選択回路３４からのレジスタ選択信号を、プライマリレジスタ３１およびダイバーシティレジスタ３２ではなく、ＲＦ信号処理回路３５に設けたセレクタ回路へ入力し、このレジスタ選択信号でセレクタ回路により、いずれか一方の制御データを選択してもよい。
【００３２】
次に、無線部２０の構成について説明する。無線部２０には、主な機能部として、アンテナスイッチ（ＳＷ）２１、フィルタ回路（ＢＰＦ）２５、およびＲＦＩＣ３０Ｂが設けられている。
【００３３】
アンテナスイッチ２１は、アンテナ２０Ａに接続されて、アンテナ２０Ａを構成するアンテナ素子の切替接続や、アンテナ２０Ａの切り離しを行うための回路部である。
フィルタ回路２５は、アンテナスイッチ２１に接続されて、アンテナ２０Ａで受信されるＲＦ信号のうち、所望の受信周波数帯域の受信ＲＦ信号を選択してＲＦＩＣ３０Ｂへ入力するバンドパスフィルタである。
【００３４】
ＲＦＩＣ３０Ｂは、アンテナ２０Ａで受信した受信ＲＦ信号の信号処理を行うための各種回路が半導体チップに搭載された集積回路である。なお、ＲＦＩＣ３０Ｂの回路構成は、無線部１０で用いるＲＦＩＣ３０Ａと同一の回路構成であり、ここでの詳細な説明は省略する。
【００３５】
図１の例では、動作モードとしてプライマリ系を設定するハイ論理レベルＶＨを示す動作モード選択信号５２Ｍが、プルアップ抵抗などの回路で生成されて、ＲＦＩＣ３０Ｂの動作モード選択端子ＳＥＬに入力されており、レジスタ選択回路３４は、プライマリレジスタ３１を無効とし、ダイバーシティレジスタ３２を有効とするレジスタ選択信号をそれぞれに出力する。このため、ＲＦ信号処理回路３５は、ダイバーシティレジスタ３２で保持している制御データを選択して、ＲＦ送信機能およびＲＦ受信機能の動作を制御するものとなる。
【００３６】
ベースバンド部４０は、ＣＰＵなどの上位装置（図示せず）から入力された送信データを変調処理することにより送信ベースバンド信号５１Ｓを生成して、無線部１０のＲＦＩＣ３０Ａへ出力する機能と、プライマリ動作時に無線部１０のＲＦＩＣ３０Ａから入力された受信ベースバンド信号５１Ｒを復調処理することにより受信データを生成して上位装置へ出力する機能と、ダイバーシティ動作時に無線部１０のＲＦＩＣ３０Ａから入力された受信ベースバンド信号５１Ｒと無線部２０のＲＦＩＣ３０Ｂから入力された受信ベースバンド信号５２Ｒのうち、電波状況に応じていずれか一方を選択し、あるいは両者を合成して復調処理することにより受信データを生成して上位装置へ出力する機能とを有している。
【００３７】
また、ベースバンド部４０は、上位装置からの指示や記憶部（図示せず）に設定されている制御データを制御信号線５３へ出力することにより、ＲＦＩＣ３０Ａ，３０Ｂのプライマリレジスタ３１、ダイバーシティレジスタ３２、共通レジスタ３３に対して、各種制御データを設定する機能を有している。
【００３８】
［第１の実施形態の動作］
次に、図５を参照して、本実施形態にかかるダイバーシティ無線機の動作について説明する。図５は、ＲＦＩＣの動作開始処理を示すフローチャートである。
ダイバーシティ無線機１の無線部１０，２０に設けられたＲＦＩＣ３０Ａ，３０Ｂは、新たな無線通信動作を開始する際、図５の動作開始処理を実行する。
【００３９】
まず、ＲＦＩＣ３０Ａのプライマリレジスタ３１とＲＦＩＣ３０Ｂのプライマリレジスタ３１は、ベースバンド部４０から制御信号線５３へ出力された、プライマリ系の動作を規定する同一の制御データを、それぞれ同一のタイミングで保持する（ステップ１００）。
【００４０】
この際、ＲＦＩＣ３０Ａ，３０Ｂのダイバーシティレジスタ３２でも、ベースバンド部４０から制御信号線５３へ出力された、ダイバーシティ系の動作を規定する同一の制御データを、それぞれ同一のタイミングで保持するとともに、ＲＦＩＣ３０Ａ，３０Ｂの共通レジスタ３３でも、ベースバンド部４０から制御信号線５３へ出力された、プライマリ系とダイバーシティ系で共通する共通動作を規定する同一の制御データを、それぞれ同一のタイミングで保持する。
【００４１】
次に、レジスタ選択回路３４は、選択端子ＳＥＬに入力されている動作モード選択信号５１Ｍの入力論理レベルがロー論理レベルＶＬか否か判定する（ステップ１０１）。
【００４２】
ここで、動作モード選択信号５１Ｍ，５２Ｍがロー論理レベルＶＬの場合には（ステップ１０１：ＹＥＳ）、プライマリレジスタ３１を有効とするとともにダイバーシティレジスタ３２を無効とするレジスタ選択信号を出力する（ステップ１０２）。
これに応じて、ＲＦ信号処理回路３５は、有効とされたプライマリレジスタ３１で保持している制御データ、すなわちプライマリ系の動作を規定する制御データと、共通レジスタ３３で保持している制御データを選択し（ステップ１０３）、これら制御データに基づき、プライマリ系のＲＦ信号処理を開始し（ステップ１０４）、一連の動作開始処理を終了する。
【００４３】
一方、動作モード選択信号５１Ｍ，５２Ｍがハイ論理レベルＶＨの場合には（ステップ１０１：ＮＯ）、プライマリレジスタ３１を無効とするとともにダイバーシティレジスタ３２を有効とするレジスタ選択信号を出力する（ステップ１０５）。
これに応じて、ＲＦ信号処理回路３５は、有効とされたダイバーシティレジスタ３２で保持している制御データ、すなわちダイバーシティ系の動作を規定する制御データと、共通レジスタ３３で保持している制御データを選択し（ステップ１０６）、これら制御データに基づき、ダイバーシティ系のＲＦ信号処理を開始し（ステップ１０７）、一連の動作開始処理を終了する。
【００４４】
図６は、プライマリ動作のレジスタ設定例である。ここでは、ＲＦＩＣ３０Ａ，３０Ｂの両方のプライマリレジスタ３１に対して、送信処理機能を動作させる「送信ＯＮ」と受信処理機能を動作させる「受信ＯＮ」とが設定され、ＲＦＩＣ３０Ａ，３０Ｂの両方のダイバーシティレジスタ３２に対して、送信処理機能を停止させる「送信ＯＦＦ」と受信処理機能を停止させる「受信ＯＦＦ」とが設定されている。
【００４５】
ここで、ＲＦＩＣ３０Ａの動作モード選択信号５１ＭとしてＶＬが入力されていることから、プライマリレジスタ３１のみが有効となり、ＲＦＩＣ３０ＡのＲＦ信号処理回路３５は、プライマリ系として動作する。また、ＲＦＩＣ３０Ｂの動作モード選択信号５２ＭとしてＶＨが入力されていることから、ダイバーシティレジスタ３２のみが有効となり、ＲＦＩＣ３０ＢのＲＦ信号処理回路３５は、ダイバーシティ系として動作する。
これにより、ダイバーシティ無線機１全体として、プライマリ系の無線部１０でのみで送受信動作を行い、ダイバーシティ系の無線部２０で受信動作を停止する、プライマリ動作が実現される。
【００４６】
図７は、ダイバーシティ動作のレジスタ設定例である。ここでは、ＲＦＩＣ３０Ａ，３０Ｂの両方のプライマリレジスタ３１に対して、送信処理機能を動作させる「送信ＯＮ」と受信処理機能を動作させる「受信ＯＮ」とが設定され、ＲＦＩＣ３０Ａ，３０Ｂの両方のダイバーシティレジスタ３２に対して、送信処理機能を停止させる「送信ＯＦＦ」と受信処理機能を動作させる「受信ＯＮ」とが設定されている。
【００４７】
ここで、ＲＦＩＣ３０Ａの動作モード選択信号５１ＭとしてＶＬが入力されていることから、プライマリレジスタ３１のみが有効となり、ＲＦＩＣ３０ＡのＲＦ信号処理回路３５は、プライマリ系として動作する。また、ＲＦＩＣ３０Ｂの動作モード選択信号５２ＭとしてＶＨが入力されていることから、ダイバーシティレジスタ３２のみが有効となり、ＲＦＩＣ３０ＢのＲＦ信号処理回路３５は、ダイバーシティ系として動作する。
これにより、ダイバーシティ無線機１全体として、プライマリ系の無線部１０で送受信動作を行い、ダイバーシティ系の無線部２０で受信動作を行う、ダイバーシティ動作が実現される。
【００４８】
［第１の実施形態の効果］
このように、本実施形態は、無線部１０，２０に、互いに同一回路構成のＲＦＩＣ３０Ａ，３０Ｂをそれぞれ設け、これらＲＦＩＣ３０Ａ，３０Ｂに、入力された動作モード選択信号の入力論理レベルに基づいて、プライマリ系およびダイバーシティ系のいずれか一方のモードでＲＦ信号処理を行うＲＦ信号処理回路３５を備えている。
【００４９】
このため、動作モード選択信号５１Ｍ，５２Ｍにより、ＲＦＩＣ３０Ａ，３０Ｂの動作モードを容易に設定することができ、プライマリ系とダイバーシティ系のＲＦ信号処理回路を、同一回路構成のＲＦＩＣを用いてそれぞれ別個に実現することができる。したがって、ＲＦＩＣ内部の回路構成を小規模化できるとともに簡素化することができ、回路評価などの開発工数を大幅に削減できる。
【００５０】
また、本実施形態では、無線部１０，２０のＲＦＩＣ３０Ａ，３０Ｂを、ベースバンド部４０から制御データが出力される制御信号線５３に対して並列接続し、これらＲＦＩＣ３０Ａ，３０Ｂに、制御信号線５３から入力されたプライマリ系の動作を規定する制御データを保持するプライマリレジスタ３１と、制御信号線から入力されたダイバーシティ系の動作を規定する制御データを保持するダイバーシティレジスタ３２とを設けて、レジスタ選択回路３４で、当該ＲＦＩＣ３０Ａ，３０Ｂがプライム系およびダイバーシティ系のいずれのモードで動作するかを示す動作モード選択信号５１Ｍ，５２Ｍの入力論理レベルに基づいて、プライマリレジスタ３１およびダイバーシティレジスタ３２のいずれか一方のみを有効とし、ＲＦ信号処理回路３５で、プライマリレジスタ３１およびダイバーシティレジスタ３２のうち有効とされたいずれか一方で保持されている制御データに基づいてＲＦ信号処理を行う。
【００５１】
これにより、ＲＦＩＣ３０Ａ，３０Ｂにおいて、プライマリレジスタ３１およびダイバーシティレジスタ３２に保持された制御データのうち、動作モード選択信号５１Ｍ，５２Ｍで選択されたモードと対応する制御データに基づき、ＲＦ信号処理が実行される。
このため、ベースバンド部４０から制御データを設定する際、これらＲＦＩＣ３０Ａ，３０Ｂごとに別個の制御データを設定する必要がなくなる。このため、別個のＲＦＩＣ３０Ａ，３０Ｂを用いた場合でも、無線部１０，２０に対するベースバンド部４０での設定処理動作を極めて簡素化することが可能となる。
【００５２】
［第２の実施形態］
次に、図８を参照して、本発明の第２の実施形態にかかるダイバーシティ無線機について説明する。図８は、第２の実施形態にかかるダイバーシティ無線機の構成を示すブロック図である。
【００５３】
第１の実施形態では、無線部１０にＲＦ信号の送受信処理機能を設けて、動作モード選択信号５１Ｍにより無線部１０をプライマリ系として固定的に設定し、無線部２０にＲＦ信号の受信処理機能のみを設けて、動作モード選択信号５２Ｍにより無線部２０をダイバーシティ系として固定的に設定した場合を例として説明した。
本実施形態では、無線１０，２０の両方にＲＦ信号の送受信処理機能を設け、動作モード選択信号５１Ｍ，５２Ｍにより、無線部１０，２０をそれぞれプライマリ系とダイバーシティ系のいずれかに任意に設定する場合について説明する。
【００５４】
本実施形態にかかるダイバーシティ無線機１において、無線部２０は無線部１０と同様の構成を有している。すなわち、無線部２０に設けられた、アンテナスイッチ（ＳＷ）２１、共用器２２、パワーアンプ２３、アイソレータ２４、およびＲＦＩＣ３０Ｂは、それぞれ無線部１０における、アンテナスイッチ１１、共用器１２、パワーアンプ１３、アイソレータ１４、およびＲＦＩＣ３０Ａと同じ構成である。
【００５５】
また、ＲＦＩＣ３０Ａの動作モード選択端子ＳＥＬに対して、ベースバンド部４０からの動作モード選択信号５１Ｍが入力されており、ＲＦＩＣ３０Ｂの動作モード選択端子ＳＥＬに対して、インバータＩＮＶで動作モード選択信号５１Ｍの論理レベルを反転した動作モード選択信号５２Ｍが入力されている。これにより、ＲＦＩＣ３０Ａが、プライマリ系とダイバーシティ系のいずれか一方のモードに設定され、ＲＦＩＣ３０Ｂが、いずれか他方のモードに設定される。
なお、本実施形態にかかるダイバーシティ無線機１におけるこの他の構成、および動作開始処理については、第１の実施形態と同様であり、ここでの詳細な説明は省略する。
【００５６】
図９は、プライマリ動作の他のレジスタ設定例である。ここでは、ＲＦＩＣ３０Ａ，３０Ｂの両方のプライマリレジスタ３１に対して、送信処理機能を動作させる「送信ＯＮ」と受信処理機能を動作させる「受信ＯＮ」とが設定され、ＲＦＩＣ３０Ａ，３０Ｂの両方のダイバーシティレジスタ３２に対して、送信処理機能を停止させる「送信ＯＦＦ」と受信処理機能を停止させる「受信ＯＦＦ」とが設定されている。
【００５７】
ここで、ＲＦＩＣ３０Ａの動作モード選択信号５１ＭとしてＶＨが入力されていることから、ダイバーシティレジスタ３２のみが有効となり、ＲＦＩＣ３０ＡのＲＦ信号処理回路３５は、ダイバーシティ系として動作する。また、ＲＦＩＣ３０Ｂの動作モード選択信号５２ＭとしてＶＬが入力されていることから、プライマリレジスタ３１のみが有効となり、ＲＦＩＣ３０ＢのＲＦ信号処理回路３５は、プライマリ系として動作する。
これにより、ダイバーシティ無線機１全体として、プライマリ系の無線部２０でのみで送受信動作を行い、ダイバーシティ系の無線部１０で受信動作を停止する、プライマリ動作が実現される。
【００５８】
図１０は、ダイバーシティ動作の他のレジスタ設定例である。ここでは、ＲＦＩＣ３０Ａ，３０Ｂの両方のプライマリレジスタ３１に対して、送信処理機能を動作させる「送信ＯＮ」と受信処理機能を動作させる「受信ＯＮ」とが設定され、ＲＦＩＣ３０Ａ，３０Ｂの両方のダイバーシティレジスタ３２に対して、送信処理機能を停止させる「送信ＯＦＦ」と受信処理機能を動作させる「受信ＯＮ」とが設定されている。
【００５９】
ここで、ＲＦＩＣ３０Ａの動作モード選択信号５１ＭとしてＶＨが入力されていることから、ダイバーシティレジスタ３２のみが有効となり、ＲＦＩＣ３０ＡのＲＦ信号処理回路３５は、ダイバーシティ系として動作する。また、ＲＦＩＣ３０Ｂの動作モード選択信号５２ＭとしてＶＬが入力されていることから、プライマリレジスタ３１のみが有効となり、ＲＦＩＣ３０ＢのＲＦ信号処理回路３５は、プライマリ系として動作する。
これにより、ダイバーシティ無線機１全体として、プライマリ系の無線部２０で送受信動作を行い、ダイバーシティ系の無線部１０で受信動作を行う、ダイバーシティ動作が実現される。
【００６０】
［第２の実施形態の効果］
このように、本実施形態では、無線部１０，２０の両方に送受信機能を設けて、ＲＦＩＣ３０Ａに対する動作モード選択信号５１Ｍと、ＲＦＩＣ３０Ｂに対する動作モード選択信号５１Ｍとは逆論理レベルの動作モード選択信号５２Ｍとを、ベースバンド部４０から任意の切替出力するようにしたので、受信状況や上位装置からの指示に応じて、プライマリ系とダイバーシティ系とをダイナミックに切り替えて動作することができ、より良い受信性能を得ることが可能となる。
【００６１】
［実施形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００６２】
また、第１および第２の実施形態では、ベースバンド部４０からＲＦＩＣ３０Ａ，３０Ｂのプライマリレジスタ３１、ダイバーシティレジスタ３２、さらには共通レジスタ３３に対して、制御信号線５３を介して各種設定データを設定する場合を例として説明したが、これに限定されるものではない。例えば、ベースバンド部４０とは別個に設けられたＣＰＵなどからなる上位装置（図示せず）から、これらレジスタに対して制御データを設定するようにしてもよい。
【００６３】
また、第２の実施形態では、ベースバンド部４０からＲＦＩＣ３０Ａ，３０Ｂに対して動作モード選択信号５１Ｍ，５２Ｍを出力する場合を例として説明したが、これに限定されるものではない。例えば、ベースバンド部４０とは別個に設けられたＣＰＵなどからなる上位装置（図示せず）から、これら動作モード選択信号５１Ｍ，５２Ｍを出力するようにしてもよい。
【００６４】
また、第１および第２の実施形態では、プライマリ系として動作する１つの無線部とダイバーシティ系として動作する１つの無線部が設けられている場合を例として説明したが、これに限定されるものではない。例えば、ダイバーシティ系として動作する無線部が複数設けられているダイバーシティ無線機に対しても、前述と同様にして各実施形態を適用でき、前述と同様の作用効果が得られる。
【００６５】
また、第１および第２の実施形態では、受信ダイバーシティ方式を適用した場合を例として説明したが、これに限定されるものではなく、送信ダイバーシティ方式にも同様にして適用できる。送信ダイバーシティ方式は、基地局に設けた異なる２つのアンテナから、それぞれの無線部で生成したＲＦ信号をそれぞれ送信し、携帯電話端末でこれらＲＦ信号のいずれか一方、または両方を合成して受信処理するものである。したがって、基地局において、これら無線部のＲＦ信号送信処理の動作モードを切り替え制御する際、前述と同様にして各実施形態を適用でき、前述と同様の作用効果が得られる。
【符号の説明】
【００６６】
１…ダイバーシティ無線機、１０…無線部（第１の無線部）、１０Ａ…アンテナ（第１のアンテナ）、１１…アンテナスイッチ、１２…共用器、１３…パワーアンプ、１４…アイソレータ、２０…無線部（第２の無線部）、２０Ａ…アンテナ（第１のアンテナ）、２１…アンテナスイッチ、２２…共用器、２３…パワーアンプ、２４…アイソレータ、２５…フィルタ回路（ＢＰＦ）、３０Ａ，３０Ｂ…ＲＦＩＣ、３１…プライマリレジスタ、３２…ダイバーシティレジスタ、３３…共通レジスタ、３４…レジスタ選択回路、３５…ＲＦ信号処理回路、４０…ベースバンド部、５１Ｍ，５２Ｍ…動作モード選択信号、５１Ｓ，５２Ｓ…送信ベースバンド信号、５１Ｒ，５２Ｒ…受信ベースバンド信号、５３…制御信号線、ＩＮＶ…インバータ、ＶＬ…ロー論理レベル、ＶＨ…ハイ論理レベル。
【図１】
2011119891.tif 000003
【図２】
2011119891.tif 000004
【図３】
2011119891.tif 000005
【図４】
2011119891.tif 000006
【図５】
2011119891.tif 000007
【図６】
2011119891.tif 000008
【図７】
2011119891.tif 000009
【図８】
2011119891.tif 000010
【図９】
2011119891.tif 000011
【図１０】
2011119891.tif 000012